(57)【要約】【課題】骨盤の締めつけによる骨盤の歪みの抑制のほか、下半身を美しく見せるための、下腹の押さえ込みやヒップアップによる身体補正を期待でき、その割りには、穿き心地良好に着用でき、長時間着用しても痛くなりにくガードルを提供する。【解決手段】前中心部１、左右のウエスト切替部２１、２２、左右のヒップ切替部３１、３２、ヒップ被覆部４、左右の大腿被覆部５１、５２、左右の股被覆部６１、６２とを縫着接続してなるガードル１０。前中心部１は所謂１ウエイ伸縮性の第１及び第２の布１ａ、１ｂを主たる伸縮方向を交わらせて重ねて形成し、左右のウエスト切替部２１、２２及び左右のヒップ切替部３１、３２は上下方向Ｙに主たる伸縮性を示す１ウエイ伸縮性の布で形成し、ヒップ被覆部４、大腿被覆部５１、５２、股被覆部６１、６２は左右方向及びそれを横切る方向のそれぞの伸縮性を有する布で形成してある。各部を形成する布は通気性を有していてもよい。【選択図】図１
2012140714.tif 000002
【特許請求の範囲】
【請求項１】
上下方向に長い前中心部と、
左右のウエスト切替部と、
前記左右のウエスト切替部の下側に配置された左右のヒップ切替部と、
前記左右のヒップ切替部の下側に配置された左右の大腿被覆部と、
前記左右のウエスト切替部と前記左右のヒップ切替部との間に配置されたヒップ被覆部と、
左右の股被覆部とを含んでおり、
前記左右の各ウエスト切替部及び前記左右の各ヒップ切替部は、上下方向の伸張に対する弾性復元収縮力より左右方向の伸張に対する弾性復元収縮力の方が大きい布で形成されており、
前記前中心部は、上下方向の伸張に対する弾性復元収縮力及び左右方向の伸張に対する弾性復元収縮力が同程度であるとともに前記左右の各ウエスト切替部及び前記左右の各ヒップ切替部の左右方向の伸張に対する弾性復元収縮力と同程度以上の布で形成されており、
前記左右の各大腿被覆部及び前記ヒップ被覆部は、上下方向の伸張に対する弾性復元収縮力及び左右方向の伸張に対する弾性復元収縮力が同程度であるとともに前記左右の各ウエスト切替部及び前記左右の各ヒップ切替部の左右方向の伸張に対する弾性復元収縮力より小さい布で形成されており、
前記左右の各股被覆部は、左右方向の伸張に対する弾性復元収縮力及び該左右方向を横切る方向の伸張に対する弾性復元収縮力が同程度であるとともに前記左右の各ウエスト切替部及び前記左右の各ヒップ切替部の左右方向の伸張に対する弾性復元収縮力より小さい布で形成されており、
前記左右の各ウエスト切替部、前記左右の各ヒップ切替部及び前記左右の各大腿被覆部のそれぞれの、前記前中心部との接続用端縁部が、該前中心部の左右の側端縁部の上部、中部及び下部にそれぞれ接続されているとともに、上下に隣り合う前記左右のウエスト切替部の下端縁部の部分と前記左右のヒップ切替部の上端縁部の部分とが相互接続されており、上下に隣り合う前記左右のヒップ切替部の下端縁部と前記左右の大腿被覆部の上端縁部とが相互接続されており、前記左右のウエスト切替部の前記前中心部との接続用端縁部とは反対側の後ろ側端縁部が相互に接続されており、前記左右のヒップ切替部の前記前中心部との接続用端縁部とは反対側の後ろ側端縁部が相互に接続されており、前記ヒップ被覆部の上端縁部が前記左右のウエスト切替部の下端縁部の該ヒップ被覆部との接続用部分に接続されているとともに該ヒップ被覆部の残りの端縁部が前記左右のヒップ切替部の上端縁部の該ヒップ被覆部との接続用部分に接続されており、前記左右の大腿被覆部は筒状体を形成するように両側端縁部が相互接続されており、
前記左右の股被覆部は、左右方向を横切る、一方の長手方向端縁部が隣り合うように並べられて該隣り合う長手方向端縁部が相互に接続されているとともに、他方の長手方向端縁部が前記左右の大腿被覆部の前記前中心部への接続用端縁部に続く股対応端縁部に接続されており、
前記左右の股被覆部は、さらに、前端縁部が前記前中心部の下端縁部に接続されているとともに後端縁部が前記左右のヒップ切替部の相互に接続される前記後ろ側の側端縁部に続く股対応端縁部に接続されていることを特徴とするガードル。
【請求項２】
前記左右の各大腿被覆部及び前記ヒップ被覆部は、上下方向の伸張に対する弾性復元収縮力及び左右方向の伸張に対する弾性復元収縮力が同程度であるとともに前記左右の各ウエスト切替部及び前記左右の各ヒップ切替部の上下方向の伸張に対する弾性復元収縮力と同程度の布で形成されており、
前記左右の各股被覆部は、左右方向の伸張に対する弾性復元収縮力及び該左右方向を横切る方向の伸張に対する弾性復元収縮力が同程度であるとともに前記左右の各ウエスト切替部及び前記左右の各ヒップ切替部の上下方向の伸張に対する弾性復元収縮力と同程度の布で形成されている請求項１記載のガードル。
【請求項３】
前記前中心部を形成している布は、左右方向の伸張に対する弾性復元収縮力が上下方向の伸張に対する弾性復元収縮力より大きく、且つ、前記左右の各ウエスト切替部及び前記左右の各ヒップ切替部の左右方向の伸張に対する弾性復元収縮力と同程度の第１布と、上下方向の伸張に対する弾性復元収縮力が左右方向の伸張に対する弾性復元収縮力より大きく、且つ、前記左右の各ウエスト切替部及び前記左右の各ヒップ切替部の左右方向の伸張に対する弾性復元収縮力と同程度の第２布とを重ねて形成されている請求項１又は２記載のガードル。
【請求項４】
前記前中心部、前記左右のウエスト切替部、前記左右のヒップ切替部、前記ヒップ被覆部、前記左右の大腿被覆部及び前記左右の股被覆部のそれぞれを形成している布は通気性を有する布である請求項１、２又は３記載のガードル。
【発明の詳細な説明】
【技術分野】
【０００１】
本発明はガードルに関する。
【背景技術】
【０００２】
従来、ガードルについては様々なガードルが提案されてきた。
例えば特開２００９−１１４５８９号公報に記載されているようにヒップアップと同時に内股をスリムにできるもの、特開２００９−１２７３６７号公報や特開２００９−１２７３６８号公報に記載されているように骨盤の歪みを矯正できるとともにヒップアップ効果も得られるもの、実用新案登録第３１３５０３５７号公報に記載されているようにヒップアップと体形補正を実現するもの等である。
【先行技術文献】
【特許文献】
【０００３】
【特許文献１】特開２００９−１１４５８９号公報
【特許文献２】特開２００９−１２７３６７号公報
【特許文献３】特開２００９−１２７３６８号公報
【特許文献４】実用新案登録第３１３５０３５７号公報
【発明の概要】
【発明が解決しようとする課題】
【０００４】
前記従来タイプのガードルはそれぞれ利点を有しているが、本発明は、様々なガードル使用者の要望に、より幅広く応えられるようにガードルに一層多様性をもたらそうとするものであり、その一環として次のガードルを提供しようとするものである。
【０００５】
すなわち、本発明は、骨盤の締めつけによる骨盤の歪みの抑制のほか、下半身を美しく見せるための、下腹の押さえ込みやヒップアップによる身体補正を期待でき、そのような効果を期待できる割りには、穿き心地良好に着用でき、長時間着用しても痛くなりにくガードルを提供することを課題とする。
【課題を解決するための手段】
【０００６】
本発明は前記課題を解決するため、
上下方向に長い前中心部と、
左右のウエスト切替部と、
前記左右のウエスト切替部の下側に配置された左右のヒップ切替部と、
前記左右のヒップ切替部の下側に配置された左右の大腿被覆部と、
前記左右のウエスト切替部と前記左右のヒップ切替部との間に配置されたヒップ被覆部と、
左右の股被覆部とを含んでおり、
前記左右の各ウエスト切替部及び前記左右の各ヒップ切替部は、上下方向の伸張に対する弾性復元収縮力より左右方向の伸張に対する弾性復元収縮力の方が大きい布で形成されており、
前記前中心部は、上下方向の伸張に対する弾性復元収縮力及び左右方向の伸張に対する弾性復元収縮力が同程度であるとともに前記左右の各ウエスト切替部及び前記左右の各ヒップ切替部の左右方向の伸張に対する弾性復元収縮力と同程度以上の布で形成されており、
前記左右の各大腿被覆部及び前記ヒップ被覆部は、上下方向の伸張に対する弾性復元収縮力及び左右方向の伸張に対する弾性復元収縮力が同程度であるとともに前記左右の各ウエスト切替部及び前記左右の各ヒップ切替部の左右方向の伸張に対する弾性復元収縮力より小さい布で形成されており、
前記左右の各股被覆部は、左右方向の伸張に対する弾性復元収縮力及び該左右方向を横切る方向の伸張に対する弾性復元収縮力が同程度であるとともに前記左右の各ウエスト切替部及び前記左右の各ヒップ切替部の左右方向の伸張に対する弾性復元収縮力より小さい布で形成されており、
前記左右の各ウエスト切替部、前記左右の各ヒップ切替部及び前記左右の各大腿被覆部のそれぞれの、前記前中心部との接続用端縁部が、該前中心部の左右の側端縁部の上部、中部及び下部にそれぞれ接続されているとともに、上下に隣り合う前記左右のウエスト切替部の下端縁部の部分と前記左右のヒップ切替部の上端縁部の部分とが相互接続されており、上下に隣り合う前記左右のヒップ切替部の下端縁部と前記左右の大腿被覆部の上端縁部とが相互接続されており、前記左右のウエスト切替部の前記前中心部との接続用端縁部とは反対側の後ろ側端縁部が相互に接続されており、前記左右のヒップ切替部の前記前中心部との接続用端縁部とは反対側の後ろ側端縁部が相互に接続されており、前記ヒップ被覆部の上端縁部が前記左右のウエスト切替部の下端縁部の該ヒップ被覆部との接続用部分に接続されているとともに該ヒップ被覆部の残りの端縁部が前記左右のヒップ切替部の上端縁部の該ヒップ被覆部との接続用部分に接続されており、前記左右の大腿被覆部は筒状体を形成するように両側端縁部が相互接続されており、
前記左右の股被覆部は、左右方向を横切る、一方の長手方向端縁部が隣り合うように並べられて該隣り合う長手方向端縁部が相互に接続されているとともに、他方の長手方向端縁部が前記左右の大腿被覆部の前記前中心部への接続用端縁部に続く股対応端縁部に接続されており、
前記左右の股被覆部は、さらに、前端縁部が前記前中心部の下端縁部に接続されているとともに後端縁部が前記左右のヒップ切替部の相互に接続される前記後ろ側の側端縁部に続く股対応端縁部に接続されているガードルを提供する。
なお、「伸張に対する弾性復元収縮力の大小」は「同じ長さ伸張させたときの弾性復元収縮力の大小」である。
【０００７】
本発明に係るガードルによると、ガードル装着者の骨盤周囲に位置する前記前中心部並びに前記左右のウエスト切替部及び前記左右のヒップ切替部のうち、前記左右の各ウエスト切替部及び前記左右の各ヒップ切替部は、上下方向の伸張に対する弾性復元収縮力より左右方向の伸張に対する弾性復元収縮力の方が大きい布で形成されており、前記前中心部は、上下方向の伸張に対する弾性復元収縮力及び左右方向の伸張に対する弾性復元収縮力が同程度であるとともに前記左右の各ウエスト切替部及び前記左右の各ヒップ切替部の左右方向の伸張に対する弾性復元収縮力と同程度以上の布で形成されている。
【０００８】
従って、それだけガードル着用者の骨盤を周囲からタイトに締め付けることができ、それにより、ガードル装着者の骨盤の歪み発生をそれだけ抑制することができる。
【０００９】
前記前中心部は、上下方向の伸張に対する弾性復元収縮力及び左右方向の伸張に対する弾性復元収縮力が同程度であるとともに前記左右の各ウエスト切替部及び前記左右の各ヒップ切替部の左右方向の伸張に対する弾性復元収縮力と同程度以上の布で形成されているので、上下方向にも左右方向にも伸張し難く、それだけガードル装着者の下腹の押さえ込み効果を期待できる。
【００１０】
前記左右のヒップ切替部は、上下方向の伸張に対する弾性復元収縮力より左右方向の伸張に対する弾性復元収縮力の方が大きい布で形成されているので、左右方向には伸縮し難く、また、該左右のヒップ切替部は該左右のヒップ切替部の前記前中心部との接続用端縁部とは反対側の後ろ側（背面側）端縁部が相互に接続されていてガードル装着者のヒップを下方から持ち上げる如く作用するので、これらによりヒップアップ効果を期待できる。
【００１１】
このような前中心部による下腹の押さえ込みと左右のヒップ切替部によるヒップアップとにより、ガードル装着者の下半身を美しく見せる身体補正効果を期待できる。
【００１２】
一方、前記左右の各大腿被覆部及び前記ヒップ被覆部は、上下方向の伸張に対する弾性復元収縮力及び左右方向の伸張に対する弾性復元収縮力が同程度であるとともに前記左右の各ウエスト切替部及び前記左右の各ヒップ切替部の左右方向の伸張に対する弾性復元収縮力より小さい布（例えば、前記左右の各ウエスト切替部及び前記左右の各ヒップ切替部の上下方向の伸張に対する弾性復元収縮力と同程度の布）で形成されており、また、前記左右の各股被覆部は、左右方向の伸張に対する弾性復元収縮力及び該左右方向を横切る方向の伸張に対する弾性復元収縮力が同程度であるとともに前記左右の各ウエスト切替部及び前記左右の各ヒップ切替部の左右方向の伸張に対する弾性復元収縮力より小さい布（例えば、前記左右の各ウエスト切替部及び前記左右の各ヒップ切替部の上下方向の伸張に対する弾性復元収縮力と同程度の布）で形成され、さらに、本発明に係るガードルは立体裁断的手法で形成されたパーツを接続して形成されているので、前記のとおりの前中心部による下腹の押さえ込みと左右のヒップ切替部によるヒップアップとにより、ガードル装着者の下半身を美しく見せる身体補正効果を期待できる割りには穿き心地良好であり、長時間着用しても痛くなりにくい。
【００１３】
本発明に係るガードルにおいて、前記前中心部を形成している布としては、例えば、左右方向の伸張に対する弾性復元収縮力が上下方向の伸張に対する弾性復元収縮力より大きく、且つ、前記左右の各ウエスト切替部及び前記左右の各ヒップ切替部の左右方向の伸張に対する弾性復元収縮力と同程度の第１布と、上下方向の伸張に対する弾性復元収縮力が左右方向の伸張に対する弾性復元収縮力より大きく、且つ、前記左右の各ウエスト切替部及び前記左右の各ヒップ切替部の左右方向の伸張に対する弾性復元収縮力と同程度の第２布とを重ねて形成されている布を挙げることができる。
【００１４】
本発明に係るガードルにおいては、穿き心地を一層良好にするために、前記前中心部、前記左右のウエスト切替部、前記左右のヒップ切替部、前記ヒップ被覆部、前記左右の大腿被覆部及び前記左右の股被覆部のそれぞれを形成している布は通気性を有する布としてもよい。
【発明の効果】
【００１５】
以上説明したように本発明によると、骨盤の締めつけによる骨盤の歪みの抑制のほか、下半身を美しく見せるための、下腹の押さえ込みやヒップアップによる身体補正を期待でき、そのような効果を期待できる割りには、穿き心地良好に着用でき、長時間使用しても痛くなりにくガードルを提供することができる。
【図面の簡単な説明】
【００１６】
【図１】本発明に係るガードルの正面図である。
【図２】図１のガードルの背面図である。
【図３】図１のガードルをパーツに分解して示す図である。
【発明を実施するための形態】
【００１７】
以下本発明の実施形態について図面を参照して説明する。
図１は本発明に係るガードルの１例の正面図であり、図２はその背面図であり、図３はガードルをパーツに分解して示す図である。
【００１８】
図示のガードル１０は、上下方向に長い倒立台形状の前中心部１と、
左ウエスト切替部２１及び右ウエスト切替部２２と、
左ウエスト切替部２１の下側に配置された左ヒップ切替部３１及び右ウエスト切替部２２の下側に配置された右ヒップ切替部３２と、
左のヒップ切替部３１の下側に配置された左の大腿被覆部５１及び右のヒップ切替部３２の下側に配置された右の大腿被覆部５２と、
背面側で、左右のウエスト切替部２１、２２と左右のヒップ切替部３１、３２との間に配置されたヒップ被覆部４と、
左の股被覆部６１及び右の股被覆部６２とを後述するように縫着接続してなるものである。
【００１９】
左右のウエスト切替部２１、２２のそれぞれ及び左右のヒップ切替部３１、３２のそれぞれは、上下方向Ｙには伸縮性を呈するが左右方向Ｘには伸縮し難い布で形成されている。さらに言えば、左右のウエスト切替部２１、２２のそれぞれ及び左右のヒップ切替部３１、３２のそれぞれは、上下方向Ｙの伸張に対する弾性復元収縮力より左右方向Ｘの伸張に対する弾性復元収縮力の方が大きい布で形成されている。
ここで「伸張に対する弾性復元収縮力の大小」は「同じ長さ伸張させたときの弾性復元収縮力の大小」でる。この点は以下同様である。
【００２０】
前中心部１は、図３に示すように、上下方向Ｙに伸縮性を呈するが左右方向Ｘには伸縮し難い第１布１ａと、上下方向Ｙには伸縮し難いが左右方向Ｘには伸縮性を呈する第２布１ｂとを重ねあわせて形成したもので、全体として上下方向Ｙにも左右方向Ｘにも伸縮し難いものである。
【００２１】
さらに言えば、前中心部１は、左右方向Ｘの伸張に対する弾性復元収縮力が上下方向Ｙの伸張に対する弾性復元収縮力より大きく、且つ、ウエスト切替部２１、２２及びヒップ切替部３１、３２の左右方向の伸張に対する弾性復元収縮力と概ね同程度の第１布１ａと、上下方向Ｙの伸張に対する弾性復元収縮力が左右方向Ｘの伸張に対する弾性復元収縮力より大きく、且つ、ウエスト切替部２１、２２及びヒップ切替部３１、３２の左右方向の伸張に対する弾性復元収縮力と概ね同程度の第２布１ｂとを重ねて形成されている。
【００２２】
ガードル１０では、直交する２方向のうちいずれか一方向に伸縮性をしめすが、他方向では該一方向の伸縮性と比較すると伸縮性が乏しく、該一方向の伸張に対する弾性復元収縮力より該他方向の伸張に対する弾性復元収縮性の方が大きい、所謂ワンウエイ（１ｗａｙ）の布、例えば、一般に肌着やガードルなどに用いられている１ｗａｙの布（例えば澤村株式会社製の通気性を有する１ｗａｙの布「サテンネット」）を裁断してウエスト切替部２１、２２やヒップ切替部３１、３２、さらには前中心部１を形成している布１ａや１ｂとして採用できる。
【００２３】
一方、ヒップ被覆部４及び左右の大腿被覆部５１、５２のそれぞれは、上下方向Ｙにも左右方向Ｘにも伸縮性を呈する布で形成されており、左右の股被覆部６１、６２のそれぞれは左右方向Ｘにも該左右方向を横切る方向にも伸縮性を呈する布で形成されている。
【００２４】
さらに言えば、ヒップ被覆部４及び左右の大腿被覆部５１、５２のそれぞれは、上下方向Ｙの伸張に対する弾性復元収縮力及び左右方向Ｘの伸張に対する弾性復元収縮力が同程度であるとともにウエスト切替部２１、２２及びヒップ切替部３１、３２の左右方向の伸張に対する弾性復元収縮力より小さい布で形成されている。ヒップ被覆部４及び左右の大腿被覆部５１、５２のそれぞれの、上下方向Ｙの伸張に対する弾性復元収縮力及び左右方向Ｘの伸張に対する弾性復元収縮力は、例えば、ウエスト切替部２１、２２及びヒップ切替部３１、３２の上下方向Ｙの伸張に対する弾性復元収縮力と概ね同程度とすることができる。
【００２５】
また、左右の股被覆部６１、６２は、左右方向Ｘの伸張に対する弾性復元収縮力及び該左右方向Ｘを横切る方向の伸張に対する弾性復元収縮力が同程度であるとともにウエスト切替部２１、２２及びヒップ切替部３１、３２の左右方向Ｘの伸張に対する弾性復元収縮力より小さい布で形成されている。左右の股被覆部６１、６２のそれぞれの左右方向Ｘの伸張に対する弾性復元収縮力及び該左右方向Ｘを横切る方向の伸張に対する弾性復元収縮力は、例えば、ウエスト切替部２１、２２及びヒップ切替部３１、３２の上下方向Ｙの伸張に対する弾性復元収縮力と概ね同程度とすることができる。
【００２６】
いずれにしても、ガードル１０では、直交する２方向のいずれにも同程度の伸縮性をしめし、直交する２方向のいずれについても伸張に対する弾性復元収縮力が概ね同程度である布として、一般に水着等に採用されている所謂ツーウエイ（２ｗａｙ）の布（例えば澤村株式会社製の通気性を有する２ｗａｙの布）を裁断して、ヒップ被覆部４、大腿被覆部５１、５２、股被覆部６１、６２として採用できる。
【００２７】
図１に示すように、左のウエスト切替部２１の前中心部１との接続用端部２１１は前中心部１の左側の端縁部１１のうち上部１１１に縫着接続されており、右のウエスト切替部２２の前中心部１との接続用端部２２１は前中心部１の右側の端縁部１２のうち上部１２１に縫着接続されている。
【００２８】
左のヒップ切替部３１の前中心部１との接続用端部３１１は前中心部１の左側の端縁部１１のうち中部１１２に縫着接続されており、右のヒップ切替部３２の前中心部１との接続用端部３２１は前中心部１の右側の端縁部１２のうち中部１２２に縫着接続されている。
【００２９】
左の大腿被覆部５１の前中心部１との接続用端部５１１は前中心部１の左側の端縁部１１のうち下部１１３に縫着接続されており、右の大腿被覆部５２の前中心部１との接続用端部５２１は前中心部１の右側の端縁部１２のうち下部１２３に縫着接続されている。
【００３０】
図２に示すように、左右のウエスト切替部２１、２２の、前中心部１との接続用端縁部２１１、２２１とは反対側の端縁部２１２、２２１は背面側へまわされ、相互に縫着接続されている。
【００３１】
また、左右のヒップ切替部３１、３２の、前中心部１との接続用端縁部３１１、３２１とは反対側の端縁部３１２、３２２も背面側へまわされ、相互に縫着接続されている。
【００３２】
さらに、図１に示すように、左右のウエスト切替部２１、２２のヒップ切替部３１、３２に対応する下端縁部２１４、２２４の部分と左右のヒップ切替部３１、３２の上端縁部３１３、３２３とが相互に縫着接続されている。
【００３３】
ヒップ被覆部４は、このようにして形成される左右のウエスト切替部２１、２２と左右のヒップ切替部３１、３２の間の背面側空所に配置され、該ヒップ被覆部の上端縁部４１が左右のウエスト切替部２１、２２の下端縁部２１４の該ヒップ被覆部対応部分に縫着接続されるとともに、該ヒップ被覆部の下端縁部４２が左右のヒップ切替部３１、３２のヒップ被覆部に対応する上端縁部３１３’、３２３’に縫着接続されている。
【００３４】
また、図１、図２に示すように、左のヒップ切替部３１の左の大腿被覆部５１に対応する下端縁部３１４と該大腿被覆部５１の上端縁部５１５とが相互に縫着接続されるとともに、右のヒップ切替部３２の右の大腿被覆部５２に対応する下端縁部３２４と該大腿被覆部５２の上端縁部５２５とが相互に縫着接続されている。
【００３５】
左の大腿被覆部５１は筒状に曲げられて両側端縁部５１３と５１４とが相互に縫着接続されており、右の大腿被覆部５２も筒状に曲げられて両側端縁部５２３と５２４とが相互に縫着接続されている。
【００３６】
ガードル１０では、左の大腿被覆部５１の側端縁部５１３の上端部５１３’は左のヒップ切替部３１の背面側端縁部３１２に続く端縁部３１２’の下端部３１２１’に縫着接続されており、右の大腿被覆部５２の側端縁部５２３の上端部５２３’は右のヒップ切替部３２の背面側端縁部３２２に続く端縁部３２２’の下端部３２２１’に縫着接続されている。
【００３７】
左右の股被覆部６１、６２については、左右対称形に裁断形成してあり、左右方向を横切る一方の長手方向端縁部６１１、６２１が隣り合うように並べられて相互に縫着接続されているとともに、他方の長手方向端縁部６１４、６２４が左右の大腿被覆部５１、５２の前中心部１への接続用端縁部５１１、５２１に続く股対応端縁部５１２、５２２に縫着接続されている。
【００３８】
さらに、左右の股被覆部６１、６２の前端縁部６１２、６２２が前中心部１の下端縁部１４の部分１４１、１４２に縫着接続され、後端縁部６１３、６２３が左右のヒップ切替部３１、３２の背面側端縁部３１２、３２２に続く股対応端縁部３１２’、３２２’の部分に縫着接続されている。
【００３９】
以上説明したガードル１０によると、ガードル装着者の骨盤周囲に位置する前中心部１並びに左右のウエスト切替部２１、２２及び左右のヒップ切替部３１、３２のうち左右のウエスト切替部２１、２２及び左右のヒップ切替部３１、３２のそれぞれは、上下方向Ｙと比較して左右方向Ｘには伸縮し難く、上下方向Ｙの伸張に対する弾性復元収縮力より左右方向Ｘの伸張に対する弾性復元収縮力の方が大きい布で形成されており、前中心部１は、上下方向Ｙの伸張に対する弾性復元収縮力及び左右方向Ｘの伸張に対する弾性復元収縮力が同程度であるとともにウエスト切替部２１、２２及びヒップ切替部３１、３２の左右方向Ｘの伸張に対する弾性復元収縮力と同程度の布（布１ａと１ｂを重ねた布）で形成されている。
【００４０】
従って、それだけガードル着用者の骨盤を周囲からタイトに締め付けることができ、それにより、ガードル装着者の骨盤の歪み発生をそれだけ抑制することができる。
【００４１】
また、前中心部１は、２枚重ねの布１ａ、１ｂで形成されているとともに上下方向Ｙにも左右方向Ｘにも伸縮し難いので、ガードル装着者の下腹の押さえ込み効果を期待できる。
【００４２】
左右のヒップ切替部３１、３２は、上下方向Ｙと比較して左右方向Ｘには伸縮し難く、Ｘ方向の伸張に対する弾性復元収縮力がＹ方向の伸張に対する弾性復元収縮力より大きく、且つ、左右のヒップ切替部３１、３２は背面側端縁部３１２、３２２で相互に接続されていてガードル装着者のヒップを下方から持ち上げる如く作用するので、これらによりヒップアップ効果を期待できる。
【００４３】
このような前中心部１による下腹の押さえ込みと左右のヒップ切替部３１、３２によるヒップアップとにより、ガードル装着者の下半身を美しく見せる身体補正効果を期待できる。
【００４４】
一方、左右の大腿被覆部５１、５２及びヒップ被覆部４は、上下方向Ｙにも左右方向Ｘにも比較的伸縮し易い布で形成されているとともに左右の股被覆部６１、６２は、左右方向Ｘにも該左右方向を横切る方向にも比較的伸縮し易い布で形成されており、さらに、ガードル１０は立体裁断的手法で形成されたパーツを縫着接続して形成されているので、前記のとおりの前中心部１による下腹の押さえ込みと左右のヒップ切替部３１、３２によるヒップアップとにより、ガードル装着者の下半身を美しく見せる身体補正効果を期待できる割りには穿き心地良好であり、長時間着用しても痛くなりにくい。
【００４５】
さらに、前中心部１、左右のウエスト切替部２１、２２、左右のヒップ切替部３１、３２、ヒップ被覆部４、左右の大腿被覆部５１、５２及び左右の股被覆部６１、６２は通気性布で形成されているので、ガードル１０はむれにくく、それだけ快適に着用できる。
【００４６】
以上図面を参照して説明したガードル１０では、前中心部１は布１ａ及び１ｂを重ねて形成されているが、さらに多くの布を重ねて形成してもよい。また、左右のウエスト切替部２１、２２と左右のヒップ切替部３１、３２の相互の関係では、例えば、ヒップ切替部３１、３２は１枚布から形成するが、ウエスト切替部２１、２２を形成している布には複数枚（例えば２枚）の布を重ねて構成したものを採用することで、ウエスト切替部２１、２２の左右方向の伸張に対する弾性復元収縮力をヒップ切替部３１、３２の左右方向の伸張に対する弾性復元収縮力より大きく設定して、骨盤の締めつけによる骨盤の歪みの抑制を一層効果的に行えるようにしてもよい。
【産業上の利用可能性】
【００４７】
本発明は、骨盤の締めつけによる、骨盤の歪みの抑制のほか、下半身を美しく見せるための、下腹の押さえ込みやヒップアップによる身体補正を期待でき、その割りには、穿き心地良好に着用でき、長時間着用しても痛くなりにくガードルを提供することに利用できる。
【符号の説明】
【００４８】
１０  ガードル
１    前中心部
１ａ、１ｂ  前中心部形成布
Ｙ  上下方向
Ｘ  左右方向
１１  前中心部の左側端縁部
１１１、１１２、１１３  左側端縁部１１の上部、中部、下部
１２  前中心部の右側端縁部
１２１、１２２、１２３  右側端縁部１２の上部、中部、下部
１３  前中心部の上端縁部
１４  前中心部の下端縁部
１４１、１４２  下端縁部１４の部分
２１  左のウエスト切替部
２２  右のウエスト切替部
２１１、２２１  前中心部との接続用端部
２１２、２２２  反対側（背面側）の端縁部
２１３、２２３  上端縁部
３１  左のヒップ切替部
３２  右のヒップ切替部
３１１、３２１  前中心部との接続用端部
３１２、３２２  背面側の端縁部
３１２’、３２２’  端縁部３１２、３２２に続く端縁部
３１２１’、３２２１’    端縁部３１２’，３２２’の一部
３１３、３２３  上端縁部
３１３’、３２３’上端縁部３１３、３２３に続く上端縁部
３１４、３２４  下端縁部
４    ヒップ被覆部
４１  上端縁部
４２  他の端縁部
５１  左の大腿被覆部
５２  右の大腿被覆部
５１１、５２１  前中心部との接続用端部
５１２、５２２  端部５１１、５２１に続く端部
５１３、５１４、５２３、５２４  側端縁部
５１３’、５２３’  端縁部５１３、５２３の上端部
５１５、５２５  上端縁部
５１６、５２６  下端縁部
６１  左の股被覆部
６２  右の股被覆部
６１１、６２１  一側端縁部
６１４、６２４  他側端縁部
６１３、６２３  前端縁部
６１２、６２２  後端縁部
【図１】
2012140714.tif 000003
【図２】
2012140714.tif 000004
【図３】
2012140714.tif 000005